【手続補正書】
【提出日】平成22年8月31日(2010.8.31)
【手続補正１】
【補正対象書類名】特許請求の範囲
【補正対象項目名】全文
【補正方法】変更
【補正の内容】
【特許請求の範囲】
【請求項１】
特定の普通始動条件の成立により普通識別情報の変動表示を行う普通識別情報変動表示手段と、
前記普通識別情報の変動表示の表示結果を決定する普通識別情報表示結果事前決定手段と、
前記普通識別情報表示結果事前決定手段が表示結果を所定の表示結果とすることを決定したときに、前記普通識別情報変動表示手段による変動表示の表示結果として前記所定の表示結果を導出表示させた後に、普通可変入賞装置を遊技者にとって不利な第２状態から遊技者にとって有利な第１状態に変化させる普通可変入賞装置制御手段と、
前記普通可変入賞装置に遊技球が入賞することにより各々が識別可能な複数種類の識別情報の変動表示を行う変動表示手段と、
識別情報の変動表示の表示結果を決定する表示結果事前決定手段と、
前記表示結果事前決定手段が決定した表示結果に基づいて回数を決定する回数決定手段と、
前記表示結果事前決定手段が表示結果を特定表示結果とすることを決定したときに、前記変動表示手段による変動表示の表示結果として前記特定表示結果を導出表示させた後に、遊技状態を特定遊技状態に制御する特定遊技状態制御手段と、
前記特定遊技状態制御手段が遊技状態を前記特定遊技状態に制御した後に、前記普通識別情報の変動表示の実行時間を短縮する制御を行う特定有利状態と、前記普通識別情報の変動表示の実行時間を前記特定有利状態と同一の態様で短縮する制御を行うとともに前記表示結果事前決定手段が表示結果を前記特定表示結果とすることを決定する確率を向上する確率向上状態と、のいずれかに遊技状態を制御する特別遊技状態制御手段と、
遊技状態が前記確率向上状態に制御されているとき又は前記特定有利状態に制御されているときに、遊技状態が前記確率向上状態又は前記特定有利状態に制御されていることを特定できない特殊報知態様により報知する特別遊技状態報知手段と、
遊技状態が前記確率向上状態又は前記特定有利状態に制御されているときに、前記表示結果事前決定手段の決定結果に応じて、前記変動表示手段による変動表示に用いられる変動表示パターンデータとして、前記確率向上状態に制御されているときと前記特定有利状態に制御されているときとに共通して用いられる複数種類の特別遊技状態用変動表示パターンデータを選択する変動表示パターンデータ選択手段と、
を備え、
前記特別遊技状態制御手段は、
遊技状態を前記確率向上状態に制御しているときには、前記特定遊技状態制御手段が前記変動表示手段に前記特定表示結果を導出表示させて前記特定遊技状態に制御するまで遊技状態を当該確率向上状態に継続制御する一方、
遊技状態を前記特定有利状態に制御しているときには、前記変動表示手段による変動表示の表示結果が前記回数決定手段で決定された回数導出表示されるか、あるいは前記変動表示手段による変動表示の表示結果が前記回数決定手段で決定された回数導出表示される前に前記特定遊技状態制御手段が前記変動表示手段に前記特定表示結果を導出表示させて前記特定遊技状態に制御するまで遊技状態を当該特定有利状態に継続制御し、
前記回数決定手段で決定される回数として、第１回数と、前記第１回数よりも多い第２回数と、を含み、
さらに、
前記変動表示手段による変動表示の表示結果が前記第１回数又は前記第２回数の回数導出表示されたときに、前記特殊報知態様が継続するか否かを示唆する示唆演出を行う継続示唆演出実行手段と、を備え、
遊技状態が前記特定有利状態に制御されているときに前記変動表示手段による変動表示の表示結果が前記回数決定手段で決定された回数導出表示されたときには、前記特別遊技状態報知手段の前記特殊報知態様による報知が終了し、
遊技状態が前記確率向上状態に制御されているときに前記変動表示手段による変動表示の表示結果が前記第２回数導出表示されたときには、当該確率向上状態が継続するとともに遊技状態が前記確率向上状態に制御されていることが遊技者の認識できる態様で報知され、
遊技状態が前記確率向上状態に制御されて前記変動表示手段による変動表示の表示結果が前記第２回数導出表示される前、又は前記特定有利状態に制御されて前記変動表示手段による変動表示の表示結果が前記回数決定手段で決定された回数導出表示される前のいずれかにおいて、前記特定遊技状態制御手段が前記変動表示手段に前記特定表示結果を導出表示させたときには、前記特別遊技状態報知手段が前記特殊報知態様での報知を行っている状態から遊技状態が前記特定遊技状態に制御される、
ことを特徴とする遊技機。
【手続補正２】
【補正対象書類名】明細書
【補正対象項目名】００１０
【補正方法】変更
【補正の内容】
【００１０】
上記目的を達成するため、本願の請求項１に記載の遊技機は、
特定の普通始動条件の成立により普通識別情報の変動表示を行う普通識別情報変動表示手段と、
前記普通識別情報の変動表示の表示結果を決定する普通識別情報表示結果事前決定手段と、
前記普通識別情報表示結果事前決定手段が表示結果を所定の表示結果とすることを決定したときに、前記普通識別情報変動表示手段による変動表示の表示結果として前記所定の表示結果を導出表示させた後に、普通可変入賞装置を遊技者にとって不利な第２状態から遊技者にとって有利な第１状態に変化させる普通可変入賞装置制御手段と、
前記普通可変入賞装置に遊技球が入賞することにより各々が識別可能な複数種類の識別情報の変動表示を行う変動表示手段と、
識別情報の変動表示の表示結果を決定する表示結果事前決定手段と、
前記表示結果事前決定手段が決定した表示結果に基づいて回数を決定する回数決定手段と、
前記表示結果事前決定手段が表示結果を特定表示結果とすることを決定したときに、前記変動表示手段による変動表示の表示結果として前記特定表示結果を導出表示させた後に、遊技状態を特定遊技状態に制御する特定遊技状態制御手段と、
前記特定遊技状態制御手段が遊技状態を前記特定遊技状態に制御した後に、前記普通識別情報の変動表示の実行時間を短縮する制御を行う特定有利状態と、前記普通識別情報の変動表示の実行時間を前記特定有利状態と同一の態様で短縮する制御を行うとともに前記表示結果事前決定手段が表示結果を前記特定表示結果とすることを決定する確率を向上する確率向上状態と、のいずれかに遊技状態を制御する特別遊技状態制御手段と、
遊技状態が前記確率向上状態に制御されているとき又は前記特定有利状態に制御されているときに、遊技状態が前記確率向上状態又は前記特定有利状態に制御されていることを特定できない特殊報知態様により報知する特別遊技状態報知手段と、
遊技状態が前記確率向上状態又は前記特定有利状態に制御されているときに、前記表示結果事前決定手段の決定結果に応じて、前記変動表示手段による変動表示に用いられる変動表示パターンデータとして、前記確率向上状態に制御されているときと前記特定有利状態に制御されているときとに共通して用いられる複数種類の特別遊技状態用変動表示パターンデータを選択する変動表示パターンデータ選択手段と、
を備え、
前記特別遊技状態制御手段は、
遊技状態を前記確率向上状態に制御しているときには、前記特定遊技状態制御手段が前記変動表示手段に前記特定表示結果を導出表示させて前記特定遊技状態に制御するまで遊技状態を当該確率向上状態に継続制御する一方、
遊技状態を前記特定有利状態に制御しているときには、前記変動表示手段による変動表示の表示結果が前記回数決定手段で決定された回数導出表示されるか、あるいは前記変動表示手段による変動表示の表示結果が前記回数決定手段で決定された回数導出表示される前に前記特定遊技状態制御手段が前記変動表示手段に前記特定表示結果を導出表示させて前記特定遊技状態に制御するまで遊技状態を当該特定有利状態に継続制御し、
前記回数決定手段で決定される回数として、第１回数と、前記第１回数よりも多い第２回数と、を含み、
さらに、
前記変動表示手段による変動表示の表示結果が前記第１回数又は前記第２回数の回数導出表示されたときに、前記特殊報知態様が継続するか否かを示唆する示唆演出を行う継続示唆演出実行手段と、を備え、
遊技状態が前記特定有利状態に制御されているときに前記変動表示手段による変動表示の表示結果が前記回数決定手段で決定された回数導出表示されたときには、前記特別遊技状態報知手段の前記特殊報知態様による報知が終了し、
遊技状態が前記確率向上状態に制御されているときに前記変動表示手段による変動表示の表示結果が前記第２回数導出表示されたときには、当該確率向上状態が継続するとともに遊技状態が前記確率向上状態に制御されていることが遊技者の認識できる態様で報知され、
遊技状態が前記確率向上状態に制御されて前記変動表示手段による変動表示の表示結果が前記第２回数導出表示される前、又は前記特定有利状態に制御されて前記変動表示手段による変動表示の表示結果が前記回数決定手段で決定された回数導出表示される前のいずれかにおいて、前記特定遊技状態制御手段が前記変動表示手段に前記特定表示結果を導出表示させたときには、前記特別遊技状態報知手段が前記特殊報知態様での報知を行っている状態から遊技状態が前記特定遊技状態に制御される、
ことを特徴とする。
この構成によれば、所定時間あたりに始動条件が成立する回数を増加させるとともに特定遊技状態が成立する確率を向上する確率向上状態又は所定時間あたりに始動条件が成立する回数を増加させる特定有利状態に制御されることを実質的に同一の報知態様により報知する。従って、遊技者は、遊技状態がいずれの状態に制御されているのか分からず、期待感を持続することができる。